(57)【特許請求の範囲】
【請求項１】
一端が閉じられた管からなり、該管の側壁には該一端からの距離が異なる位置に消火用の液体を散水するための複数のスリットが設けられており、各該スリットの傾斜面の走向は同じであるが仰俯角が異なるようにされており、各該スリットからの散水の傾斜面の走向は同じで散水範囲が異なるようにされていることを特徴とするドレンチャーヘッド。
【請求項２】
前記スリットの幅は前記スリットの仰俯角が大きいほど広くされている請求項１に記載のドレンチャーヘッド。
【請求項３】
前記複数のスリットにおける隣接するスリット間の間隔は、５ｍｍ以上３００ｍｍ以下である請求項１又は２に記載のドレンチャーヘッド。
【請求項４】
防火区域の周囲に配設された複数の請求項１乃至３のいずれか１項に記載のドレンチャーヘッドと、該ドレンチャーヘッドに消火用の液体を送水する送水装置とを備えた消火設備。
【発明の詳細な説明】
【技術分野】
【０００１】
本発明は、水を膜状に放出して消火や防火を行うドレンチャーヘッドに関し、天井までの高さが低い防火区域の消火や防火に好適に用いることができる。
【背景技術】
【０００２】
従来、水系の消火設備で用いられる水放射用のヘッドとして、水を広範囲に散布するためのスプリンクラーヘッドや、スプリンクラーヘッドよりも細かい霧状の水を噴霧するためのスプレイヘッドが知られている。これらのヘッドは、通常建物の天井部分に設置され、防火区域に対して消火液を均一に散布することにより、防火区域全体の初期消火を効率的に行うことができる。
【０００３】
しかし、防火区域の天井が低い場合には、スプリンクラーヘッドやスプレイヘッドを天井に設置して散水を行っても、広範囲に散水することができず、ヘッド１個当たりの散水範囲が狭くなってしまうという問題があった。このため、十分な防火を行うためには、多数のヘッドを設置する必要が生じ、設備費及び施工費の高騰化を招来するという問題があった。
【０００４】
これらの問題点を解決するため、特定の方向に水を散水する側壁型スプリンクラーヘッドを用いたり、水を膜状に散水するドレンチャーヘッド（例えば特許文献１）を用いたりして、防火区域の天井からではなく横方向から水を散水することも考えられる。
【０００５】
しかし、スプリンクラーヘッドからの散水はバラツキが大きく、散水量の多い部分と、散水量の少ない部分とが生じ、広範囲に均一に散水することは困難であった。また、ドレンチャーヘッドを用いた場合でも、水が膜状に散水されるため、やはり広範囲に均一に散水することが困難であった。
【先行技術文献】
【特許文献】
【０００６】
【特許文献１】特開平08-033733号公報
【発明の概要】
【発明が解決しようとする課題】
【０００７】
本発明は、上記従来の実情に鑑みてなされたものであり、防火区域の周縁から防火区域全体に均一かつ広範囲に散水することが可能なドレンチャーヘッド及び消火設備を提供することを目的とする。
【課題を解決するための手段】
【０００８】
本発明のドレンチャーヘッドは、一端が閉じられた管からなり、該管の側壁には該一端からの距離が異なる位置に消火用の液体を散水するための複数のスリットが設けられており、各該スリットの仰俯角が異なることによって各該スリットからの散水範囲が異なるようにされていることを特徴とする。
【０００９】
本発明のドレンチャーヘッドでは、一端が閉じられた管からなり、該管の側壁には該一端からの距離が異なる位置に消火用の液体を散水するための複数のスリットが設けられているため、管の他端側から消火用の液体を注水すれば、異なる位置にある複数のスリットから散水される。複数のスリットの仰俯角は異なるようにされているため、散水の仰俯角も各スリットの仰俯角に応じて散水されることとなり、その結果、ドレンチャーヘッドの近くから遠くまで、広範囲に散水することができる。
【００１０】
複数のスリットから噴射される水流は、空気中を飛翔するときに気流を発生させる。この気流によって生じる負圧（コアンダ効果）により、一方のスリットから散水された水流と他方のスリットから散水された水流が相互に引き寄せられて、散水分布が均等にならないことがある。そのため、各々のスリットの間隔は適度な距離を保つ必要がある。ヘッド圧力0.1MPaで60L噴射される条件においては、隣接するスリット間の距離（内内寸法をいう。以下同様）が５ｍｍ〜３００ｍｍの間であれば、ドレンチャーヘッドがコンパクトで、かつ、散水分布も概略均等とすることができる。
【００１１】
スリットの幅はスリットの仰俯角が大きいほど広くされていることが好ましい。仰俯角が大きいスリットからの散水は、仰俯角が小さいスリットからの散水よりも、より遠方まで届く。このため、スリットの幅が同じであった場合、より広い範囲を散水するスリットからの散水は、単位面積当たりの散水量が少なくなり、広範囲に均一に散水することができない。これに対して、スリットの幅が、スリットの仰俯角が大きいほど広くされていれば、スリットからの単位時間当たりの散水量は多くなる。このため、単位面積当たりの散水量が平均化され、より均一な散水が可能となる。
【００１２】
本発明の消火設備は、防火区域の周囲に配設された複数の本発明のドレンチャーヘッドと、該ドレンチャーヘッドに消火用の液体を送水する送水装置とを備えている。このため、防火区域の上方にヘッドを設置する必要がなく、天井が低い場合であっても、問題なく消火設備を設置することができる。
【図面の簡単な説明】
【００１３】
【図１】実施例１の消火設備の模式斜視図である。
【図２】ドレンチャーヘッドの側面図である。
【図３】ドレンチャーヘッドからベルトコンベアへの散水を示す側面図である。
【図４】ドレンチャーヘッドからベルトコンベアへの散水を示す平面図である。
【発明を実施するための形態】
【００１４】
以下、本発明を具体化した実施例を図面を参照しつつ説明する。
（実施例１）
実施例１の消火設備を図１に示す。この消火設備は、ニトリルゴム（ＮＢＲ）やブタジエンゴム（ＢＲ）等の合成ゴムの中間原料乾燥工程において、ベルトコンベア１００で運搬されるゴム原料１０１が、ヒーターの熱により、万一発火した場合に、延焼を防ぐための消火設備である。ベルトコンベア１００の両側には、消火用の液体を散水するためのドレンチャーヘッド１が３個ずつ、互い違いに千鳥状に設置されている。ドレンチャーヘッド１は送水管２から立垂して接続されており、送水管２は送水ポンプ３に接続されており、送水ポンプ３は図示しない消火用水貯留タンクに接続されている。送水管２の末端には圧力計４が設けられている。また、ベルトコンベア１００の中央上方には光ファイバ温度監視センサ５が設けられており、光ファイバ温度監視センサ５は送水ポンプを制御する制御盤６に接続されている。
【００１５】
ドレンチャーヘッド１は真ちゅうからなり、図２に示すように、一端が閉じられた円管状とされており、外径は２０ｍｍ、内径は１５ｍｍとされている。ドレンチャーヘッド１の側面には、閉じた一端から最も遠い位置にスリット１ａが、中間の位置にスリット１ｂが、最も近い位置に１１ｃが設けられており、
スリット１ａとスリット１ｂとの間隔は１５ｍｍ、スリット１ｂとスリット１ｃとの間隔は２０ｍｍとされている。各スリットの切り込みの仰俯角はスリット１ａが−４５°、スリット１ｂが−２０°、スリット１ｃが−５°とされている。また、各スリット幅は、スリット１ａが１．１ｍｍ、スリット１ｂが１．８ｍｍ、スリット１ｃが２．５ｍｍとされている。ドレンチャーヘッド１の閉じられていない側にはテーパ状の雄ネジ部１ｄが設けられている。各スリットはベルトコンベア１００に対面する方向に向けられており、ベルトコンベア１００からの各スリットの上端までの高さは３０ｃｍとされている。
【００１６】
ドレンチャーヘッド１は真ちゅう以外にも、ステンレスや青銅を用いることも可能で、設置環境や耐久性、経済性によって好適なものを選定する。
【００１７】
以上のように構成された実施例１の消火設備では、図１に示すベルトコンベア１００によって運搬されている合成ゴム原料１０１が発火した場合、光ファイバ温度監視センサ５が感知して感知信号が制御盤６に伝えられる。これにより、制御盤６から送水ポンプ３に駆動信号が送信され、送水ポンプ３が消火用水貯留タンクから送水管２に消火用液体が送水される。そして図３及び図４に示すように、各ドレンチャーヘッド１のスリット１ａ、１ｂ、１ｃからベルトコンベア１００の方向に向かって扇状に散水される。ここで、各スリットの切り込みの仰俯角はスリット１ａが−４５°、スリット１ｂが−２０°、スリット１ｃが−５°とされているため、各ドレンチャーヘッド１のスリット１ａ、１ｂ、１ｃからベルトコンベア１００への散水到達距離ｌ，ｍ及びｎは、ｌ＜ｍ＜ｎとなる。また、スリット１ａ、１ｂ、１ｃの幅はスリット１ａが１．１ｍｍ、スリット１ｂが１．８ｍｍ、スリット１ｃが２．５ｍｍとされているため、単位時間当たりの散水量はスリット１ａ＜スリット１ｂ＜スリット１ｃとなる。一方、図４に示すように、散水範囲はスリット１ａ＞スリット１ｂ＞スリット１ｃとなるため、このため、単位面積当たりの散水量が平均化され、より均一な散水が可能となる。
【００１８】
実施例１の消火設備においては、図１に示すように、ドレンチャーヘッド１が防火区域であるベルトコンベア１００の両側に設置されているため、たとえベルトコンベア１００上の天井が低い場合であっても設置が可能である。また、ベルトコンベア１００の両側に３個ずつ、ドレンチャーヘッド１が互い違いに千鳥状に設置されているため、各ドレンチャーヘッド１からの散水範囲が重なり難くなり、ベルトコンベア１００上を全体に万遍なく散水することができる。
【００１９】
したがって、実施例１の消火設備によれば、防火区域の周縁から防火区域全体に均一かつ広範囲に散水することが可能である。
【００２０】
なお、消火用水としては、水を用いることはもちろん、浸透剤水溶液や泡消火薬剤水溶液用いることもできる。浸透剤水溶液は、ゴム等の水に濡れ難い物質に対しても浸透しやすくなるため、消火をより確実に行うことができ、好適である。
また、実施例１の変形例として、光ファイバ温度監視センサ５によって発火を検知した個所のドレンチャーヘッドのみから送水するようにしてもよい。
さらには、防火区域を分割しておき、各防火区域ごとに複数のドレンチャーヘッドを割り当てておき、光ファイバ温度監視センサ５によって発火を検知した防火区域の複数のドレンチャーヘッドから送水するようにしてもよい。
【００２１】
ドレンチャーヘッドの設置高さや、ドレンチャーヘッドにおける各スリットの位置、仰俯角及び幅等については、防火区域の形状や大きさや送水圧力に応じて適宜選択することにより、防火区域に対して均一且つ全体に散水できるようにすることが好ましい。
【００２２】
この発明は上記発明の実施の態様及び実施例の説明に何ら限定されるものではない。特許請求の範囲を逸脱せず、当業者が容易に想到できる範囲で種々の変例様もこの発明に含まれる。
【符号の説明】
【００２３】
１…ドレンチャーヘッド
１ａ，１ｂ，１ｃ…スリット
２，３，５，６…加圧送水装置（２…送水管，３…送水ポンプ（送水装置），
５…光ファイバ温度監視センサ，６…制御盤）
【図１】
0006438726.tif 000002
【図２】
0006438726.tif 000003
【図３】
0006438726.tif 000004
【図４】
0006438726.tif 000005